(57)【特許請求の範囲】
【請求項１】
映像を撮像する撮像手段と、
前記撮像手段で撮像された映像を記録可能な形式で出力する画像生成手段と、
前記画像生成手段で生成された画像情報を記憶媒体の所定の保存領域に格納する情報保存手段と、
前記記憶媒体から画像情報を読み出し、各種のデコード処理を行い、再生情報を生成する情報再生手段と、
前記記憶媒体の記録状態を検出する記録状態検出手段と、
外部機器と通信し、前記外部機器の記憶媒体である外部記憶媒体の記録状態情報を取得する記録状態情報取得手段と、
前記記録状態検出手段により検出された本体内の記録状態情報と、前記記録状態情報取得手段により取得された、前記外部記憶媒体の記録状態情報とに基づき、前記記憶媒体内の画像情報を外部機器に送信する状態に本体を遷移させるか、外部機器の画像情報を受信する状態に本体を遷移させるかを選択する情報送受信選択手段と、
前記情報送受信選択手段で選択された結果に基づき、本体を画像情報を送信する状態、或いは受信する状態に遷移させる情報送受信切換え手段と、を具備することを特徴とする撮像装置。
【請求項２】
前記記憶媒体は、ＤＶＤ＿Ｄｉｓｃ、ＢｌｕｅＲａｙ＿Ｄｉｓｃ、内蔵ハードＤｉｓｃ、着脱可能なハードＤｉｓｃ、内蔵Ｆｌａｓｈメモリー、及び着脱可能なＦｌａｓｈメモリーのうちの少なくともいずれかであることを特徴とする請求項１に記載の撮像装置。
【請求項３】
前記記録状態情報には、記憶媒体のコンテンツ有無情報、記憶媒体に施されたプロテクト情報、及び記憶媒体に施されたファイナライズ情報のうちの少なくともいずれかが含まれることを特徴とする請求項１又は２に記載の撮像装置。
【請求項４】
前記外部機器との通信が、有線通信であることを特徴とする請求項１ないし３のいずれか１項に記載の撮像装置。
【請求項５】
前記有線通信は、ＩＣタグを用いた接触型通信であることを特徴とする請求項４に記載の撮像装置。
【請求項６】
前記外部機器との通信が、無線通信であることを特徴とする請求項１ないし３のいずれか１項に記載の撮像装置。
【請求項７】
前記無線通信は、ＩＣタグを用いた非接触型通信であることを特徴とする請求項６に記載の撮像装置。
【請求項８】
前記画像生成手段で生成される画像情報は、ＪＰＥＧ圧縮が施された静止画データ又はＭＰＥＧ圧縮が施された動画データであることを特徴とする請求項１ないし７のいずれか１項に記載の撮像装置。
【請求項９】
前記情報送受信選択手段が、前記記憶媒体内の画像情報を外部機器に送信する状態に本体を遷移させるか、外部機器の画像情報を受信する状態に本体を遷移させるかを選択できなかった場合、選択できなかったことをユーザに知らせる表示を行う表示手段をさらに有することを特徴とする請求項１ないし８のいずれか１項に記載の撮像装置。
【請求項１０】
前記画像生成手段で得られた画像情報に対応した管理情報を生成する管理情報生成手段をさらに有し、
前記情報保存手段は、前記画像生成手段で生成された画像情報と、前記管理情報生成手段で生成された管理情報とを記憶媒体の所定の保存領域に格納することを特徴とする請求項１ないし９のいずれか１項に記載の撮像装置。
【請求項１１】
撮像装置の制御方法であって、
映像を撮像する撮像ステップと、
前記撮像ステップで撮像された映像を記録可能な形式で出力する画像生成ステップと、
前記画像生成ステップで生成された画像情報を記憶媒体の所定の保存領域に格納する情報保存ステップと、
前記記憶媒体から画像情報を読み出し、各種のデコード処理を行い、再生情報を生成する情報再生ステップと、
前記記憶媒体の記録状態を検出する記録状態検出ステップと、
外部機器と通信し、前記外部機器の記憶媒体である外部記憶媒体の記録状態情報を取得する記録状態情報取得ステップと、
前記記録状態検出ステップにより検出された本体内の記録状態情報と、前記記録状態情報取得ステップにより取得された、前記外部記憶媒体の記録状態情報とに基づき、前記記憶媒体内の画像情報を外部機器に送信する状態に本体を遷移させるか、外部機器の画像情報を受信する状態に本体を遷移させるかを選択する情報送受信選択ステップと、
前記情報送受信選択ステップで選択された結果に基づき、本体を画像情報を送信する状態、或いは受信する状態に遷移させる情報送受信切換えステップと、を有することを特徴とする制御方法。
【請求項１２】
撮像装置のプロセッサに、
映像を撮像する撮像ステップと、
前記撮像ステップで撮像された映像を記録可能な形式で出力する画像生成ステップと、
前記画像生成ステップで生成された画像情報を記憶媒体の所定の保存領域に格納する情報保存ステップと、
前記記憶媒体から画像情報を読み出し、各種のデコード処理を行い、再生情報を生成する情報再生ステップと、
前記記憶媒体の記録状態を検出する記録状態検出ステップと、
外部機器と通信し、前記外部機器の記憶媒体である外部記憶媒体の記録状態情報を取得する記録状態情報取得ステップと、
前記記録状態検出ステップにより検出された本体内の記録状態情報と、前記記録状態情報取得ステップにより取得された、前記外部記憶媒体の記録状態情報とに基づき、前記記憶媒体内の画像情報を外部機器に送信する状態に本体を遷移させるか、外部機器の画像情報を受信する状態に本体を遷移させるかを選択する情報送受信選択ステップと、
前記情報送受信選択ステップで選択された結果に基づき、本体を画像情報を送信する状態、或いは受信する状態に遷移させる情報送受信切換えステップと、を実行させるためのプログラム。
【発明の詳細な説明】
【技術分野】
【０００１】
本発明は、外部機器との通信により画像データ送受信を可能とする撮像装置等に関し、より詳しくは外部機器との接続が確立された時点で、接続機器間の送受信を決定する技術に関する。
【背景技術】
【０００２】
近年、撮像装置の記憶媒体には、ハードディスク、ＤＶＤディスク、内蔵フラッシュ等が用いられ多様化が進んでいる。また、撮像装置における編集方法においても、従来は、ＰＣ（パーソナルコンピュータ）や据え置きレコーダを介して任意の画像を複製したＤｉｓｃを作成する等の手法が一般的であったが、近年、新たな手法が用いられるようになっている。具体的には、カムコーダ同士を直接接続し画像ファイルの送受信を行うことで、任意の画像を複製したＤｉｓｃを作成する手法や、ＨＤＤ等の内蔵記憶媒体に保存する等の手法が挙げられる。
【発明の開示】
【発明が解決しようとする課題】
【０００３】
上述したように近年編集方法において、従来のＰＣや据え置きレコーダを介して任意の画像を複製したＤｉｓｃを作成する等の手法から、カムコーダ同士を直接接続し画像ファイルの送受信を行い、任意の画像を複製したＤｉｓｃを作成する手法等が広がっている。或いは、ＨＤＤ等の内蔵記憶媒体に保存する手法等が広がっている。
【０００４】
しかしながら、カムコーダ同士を接続し、画像ファイルの送受信を行うことで、任意の画像を複製しＤｉｓｃを作成する、或いは、ＨＤＤ等の内蔵記憶媒体に保存する場合、処理が煩わしい場合があった。即ち、機器間の接続が確立した状態から、どの機器から画像を送信し、どの機器で受信するのか等の送受信設定をユーザーが手動で行う必要があり、煩わしい処理が要求されていた。
【０００５】
本発明は、以上のことを鑑みてなされたもので、ハードディスク等の記憶媒体を装備したカムコーダにおいて、該機器同士を接続し、撮影した画像ファイルを送信及び受信する場合の設定を容易にすることを目的とする。より具体的には、接続機器間の記憶媒体の記録状態を互いに通知しあい、該記録状態情報を基に、接続機器間の送信／受信を自動で設定することで、ユーザーが煩わしい送信／受信設定を行うといった問題を回避するようにすることを目的とする。
【課題を解決するための手段】
【０００６】
本発明の撮像装置は、映像を撮像する撮像手段と、前記撮像手段で撮像された映像を記録可能な形式で出力する画像生成手段と、前記画像生成手段で生成された画像情報を記憶媒体の所定の保存領域に格納する情報保存手段と、前記記憶媒体から画像情報を読み出し、各種のデコード処理を行い、再生情報を生成する情報再生手段と、前記記憶媒体の記録状態を検出する記録状態検出手段と、外部機器と通信し、前記外部機器の記憶媒体である外部記憶媒体の記録状態情報を取得する記録状態情報取得手段と、前記記録状態検出手段により検出された本体内の記録状態情報と、前記記録状態情報取得手段により取得された、前記外部記憶媒体の記録状態情報とに基づき、前記記憶媒体内の画像情報を外部機器に送信する状態に本体を遷移させるか、外部機器の画像情報を受信する状態に本体を遷移させるかを選択する情報送受信選択手段と、前記情報送受信選択手段で選択された結果に基づき、本体を画像情報を送信する状態、或いは受信する状態に遷移させる情報送受信切換え手段と、を具備することを特徴とする。
【発明の効果】
【０００７】
本発明によれば、接続機器間の記憶媒体の記録状態を互いに通知しあい、該記録状態情報を基に、接続機器間の送信／受信を自動で設定することで、ユーザにとって煩わしい送信、受信設定等の設定処理を回避することができる。
【発明を実施するための最良の形態】
【０００８】
（第１の実施の形態）
以下、本発明の撮像装置及び撮像装置における送受信決定方法に係る第１の実施形態を説明する。図１は８ＣｍＤＶＤ_Ｄｉｓｃを記録媒体とするＤＶＤカムコーダの構成を示す図である。
【０００９】
１０１は撮像手段を示しており、レンズ、固体撮像素子であるＣＣＤ（Ｃｈａｒｇｅ Ｃｏｕｐｌｅｄ Ｄｅｖｉｃｅ）等の回路が含まれる。
【００１０】
１０２は撮像信号を映像信号にする画像生成手段であり、ＣＣＤからの映像データに対し、ノイズリダクション等の画質に関わる各種フィルター制御を具備する。更に、動画データを記録する場合に必要となるＭＰＥＧエンコード処理（ＭＰＥＧ圧縮）、及び静止画データを記録する場合に必要となるＪＰＥＧエンコード処理（ＪＰＥＧ圧縮）等、記憶媒体に保存できる記録可能な画像データ形式に変換する回路も具備される。
【００１１】
１０３は管理情報生成手段であり、画像生成手段１０２で生成された、画像データに付加される画像管理情報（以下、単に管理情報と呼ぶ）を生成する。なお、ここでいう管理情報とは、記録サイズ、記録開始日時、記録終了日時等が含まれる。
【００１２】
１０４は画像／管理情報保存手段であり、画像生成手段１０２で生成された画像データに、管理情報生成手段１０３で生成された管理情報を対応させて付加し、画像／管理情報保存領域１０５に保存している。なお、画像／管理情報保存手段１０４は、本発明でいう情報保存手段の一構成例に対応するものである。
【００１３】
１０５は画像／管理情報保存領域であり、画像／管理情報保存手段１０４からの画像／管理情報を一時的に保持しておく領域である。なお、画像／管理情報保存領域１０５は、本発明でいう所定の保存領域に対応するものである。
【００１４】
１０６は画像／管理情報記録再生手段であり、記憶媒体１０７から、記録された画像情報／管理情報を読み出し、デコード処理して再生情報を生成し、ＶｉｄｅｏＯＵＴに画像を出力する等の再生手段を具備する。また、画像／管理情報保存領域１０５の情報を記憶媒体１０７にＥＣＣ処理や記憶媒体１０７の記憶領域を管理しながら、適正な領域に記録する記録手段を具備する。なお、画像／管理情報記録再生手段１０６は、本発明でいう情報記録再生手段の一構成例に対応するものである。
【００１５】
１０７は記憶媒体であり、本実施形態では、ＤＶＤ＿Ｄｉｓｃを想定しているが、ＢｌｕｅＲａｙ＿Ｄｉｓｃ、内蔵ハードＤｉｓｃ（内蔵ＨＤＤ）、着脱可能なハードＤｉｓｃ（ＨＤＤ）や、内蔵Ｆｌａｓｈメモリー、着脱可能なＦｌａｓｈメモリーも適用される。
【００１６】
１０８は記録状態検出手段であり、記憶媒体１０７の記録状態を検出する処理を行う。ここでいう、記録状態の検出とは、ＤＶＤ＿Ｄｉｓｃの場合、装着されたＤｉｓｃがブランクＤｉｓｃであるか否かの検出、プロテクトされているか否か（プロテクト情報）、ファイナライズされているか否か（ファイナライズ情報）の検出をいう。更には、ＨＤＤ、Ｆｌａｓｈメモリーも含む場合は、記録コンテンツの有無（コンテンツ有無情報）を検出することも含む。
【００１７】
１０９は記録状態情報生成手段であり、記録状態検出手段１０８で検出された記録状態情報を接続制御手段１１１、通信インタフェース（以下、通信Ｉ．Ｆ）１１２を介して接続された外部機器に転送する為の情報を生成するものである。
【００１８】
１１０は記録状態情報取得手段であり、接続制御手段１１１、通信Ｉ．Ｆ１１２により接続された外部機器より、外部機器の記録状態情報を受信する為の手段である。
【００１９】
１１１は接続制御手段であり、外部機器との接続を確立する為、通信Ｉ．Ｆ１１２を制御する回路及び処理機能を具備すると共に、本体内で生成された画像情報、管理情報、記録情報を送信する為の回路及び処理機能を具備するものである。
【００２０】
１１２は通信Ｉ．Ｆであり、ここでいう通信形態は、１３９４／ＵＳＢ等の有線接続（有線通信）、Ｂｌｕｅｔｏｏｔｈ等の無線接続（無線通信）、またＩＣタグを用いた、接触型／非接触型通信等のＩ．Ｆが含まれる。なお、通信Ｉ．Ｆは、本発明でいう通信手段の一構成例に対応するものである、
【００２１】
１１３は画像／管理情報送信受信選択手段であり、記録状態検出手段１０８で取得される記録状態情報と、通信Ｉ．Ｆ１１２、接続制御手段１１１を介して取得される外部機器の記録状態情報とを基に解析を行う。そして、本体内の画像／管理情報を外部機器に送信するのか、或いは、外部機器から画像／管理情報を受信するのかを選択する。なお、画像／管理情報送受信選択手段１１３は、本発明でいう情報送受信選択手段に対応するものである。
【００２２】
１１４は画像／管理情報送受信切換え手段であり、画像／管理情報送受信選択手段１１３により決定された、送受信情報を基に、送信状態であれば、本体内を画像／管理情報を送信する状態に切換える。また、受信状態であれば、外部機器からの画像／管理情報を受信できる状態に本体内の回路を切換える処理機能を具備する。なお、画像／管理情報送受信切換え手段１１４は、本発明でいう情報送受信切換え手段の一構成例に対応するものである。
【００２３】
１１５はＲＡＭであり、本提案に係る処理の実施、及び、ＨＤＤカムコーダを動作させる処理を行う為に使用される。１１６はＲＯＭであり、本提案に係る処理を実施するプログラム及びＨＤＤカムコーダを動作させる為のプログラムが保存される。１１７はＣＰＵであり、本提案に係る処理を実施するプログラム及びＨＤＤカムコーダを動作させるプログラムを実行する為に使用される。
【００２４】
１１８は表示手段であり、パネル／モニターアウトに表示させる画像を生成する回路が具備される。本手段を利用することで、再生／記録画像を出力させるだけでなく、警告表示、タイムコード表示等、ユーザに必要な付加情報を表示させることも可能となる。
【００２５】
次に上記で説明したＤＶＤカムコーダ同士をＵＳＢ接続し、装着されたＤｉｓｃの記録状態を検出し、機器の送信状態／受信状態を決定する方法について、図２、図３、図４を用いて説明する。
【００２６】
図２はＵＳＢ接続されたＤＶＤカムコーダ同士の記憶媒体（この場合Ｄｉｓｃ）の記録状態を示しており、ＤＶＤカムコーダＡにはバージンＤｉｓｃまたは、Ｖｉｄｅｏ或いはＶＲモードで初期化され未記録状態のＤｉｓｃが装着されている。一方、ＤＶＤカムコーダＢは記録が行われコンテンツが存在するＤｉｓｃが装着されている。
【００２７】
図３は、図２の記録状態において、ＤＶＤカムコーダＡが受信状態、ＤＶＤカムコーダＢが送信状態になるまでの工程を示すフローチャートである。
【００２８】
まずＵＳＢ接続された場合、通信Ｉ．Ｆ１１２及び接続制御手段１１１により、接続機器間のネゴシエーションが開始され、接続を確立させる処理が行われる（ステップＳ３０１）。
【００２９】
接続が確立された後、記録状態検出手段１０８が起動し、互いの機器に装着されたＤｉｓｃの記録状態が検出される。図２に示される、装着Ｄｉｓｃの場合、ＤＶＤカムコーダＡでは、記録コンテンツ"無し"の情報が取得され、ＤＶＤカムコーダＢでは記録コンテンツ"有り"が取得される（ステップＳ３０２）。
【００３０】
そして、取得された記録状態情報に応じ、記録状態情報生成手段１０９に記録コンテンツ"有り""無し"の外部機器への転送情報が生成される（ステップＳ３０３、Ｓ３０４、Ｓ３０５）。
【００３１】
上述した転送情報は、接続制御手段１１１で取得される。そして、通信Ｉ．Ｆ１１２を介し、外部機器（ＤＶＤカムコーダＡにとってはＤＶＤカムコーダＢが外部機器と定義され、ＤＶＤカムコーダＢにとってはＤＶＤカムコーダＡが外部機器と定義される）に送信される（ステップＳ３０６、Ｓ３０７）。
【００３２】
このように転送された記録状態情報は、互いの機器で通信Ｉ．Ｆ１１２、接続制御手段１１１を介し、記録状態情報取得手段１１０で取得される（ステップＳ３０８）。
【００３３】
そして、各ＨＤＤカムコーダは、外部機器より取得した、記録状態情報および、自機種で生成された、記録状態情報を画像／管理情報送受信選択手段１１３で比較する（ステップＳ３０９〜Ｓ３１３）。そして、結果に応じ、画像／管理情報送受信切換え手段１１４を送信状態及び受信状態に切換え、画像／管理情報を受信できる状態、または、送信できる状態に遷移させる。
【００３４】
なお、送信／受信の状態を決定できないかった場合、表示手段１１８に、図４のようなエラー警告を出すような処理も本フローチャートに記載する。まずステップＳ３０９では、送信した記録状態情報にコンテンツが"有り"の状態、かつ、外部機器から取得した受信記録状態情報にコンテンツが"無し"の場合、画像／管理情報送受信切換え手段１１４を"送信"に切換える。なお接続された外部機器では、後述するステップＳ３１１に該当する為、外部機器は"受信"の状態に切り替わる。ステップＳ３０９で条件が成り立たない場合ステップＳ３１１に遷移する。そして、送信した記録状態情報にコンテンツが"無し"の状態、かつ、外部機器から取得した受信記録状態情報にコンテンツが"有り"の場合、画像／管理情報送受信切換え手段１１４を"受信"に切換える。なお接続された外部機器では、後述するステップＳ３１１に該当する為、外部機器は"送信"の状態に切り替わる。最後にステップＳ３０９、Ｓ３１１のいずれにも該当しない場合、送信／受信を決定することができないと判断する。そして、画像／管理情報送受信切換え手段１１４を動作させず、表示手段１１８を用いて、図４のような警告表示（４０１）を出力させるステップに遷移する（ステップＳ３１３）。
【００３５】
（第２の実施の形態）
次に本発明の第２の実施の形態について説明する。なお、本実施の形態に係るＤＶＤカムコーダの構成は図１と同様であるため説明は省略する。以下、本実施形態に係る、ＤＶＤカムコーダ同士をＵＳＢ接続し、装着されたＤｉｓｃの記録状態を検出し、機器の送信状態／受信状態を決定する方法について、図５、図６、図７を用いて説明する。
【００３６】
図５は、ＵＳＢ接続されたＤＶＤカムコーダ同士の記憶媒体（この場合Ｄｉｓｃ）の記録状態を示しており、ＤＶＤカムコーダＡには追記可能なＤｉｓｃが装着されている。一方、ＤＶＤカムコーダＢはコンテンツが存在するが追記不能なＤｉｓｃが装着されている。
【００３７】
図６は、図５上の表現で使用されている、追記可能／追記不能の詳細を示す表を示すものであり（６０１）、本図に参照されるように、追記可能とは、プロテクトがかかっていない状態、ファイナライズが施されていない状態をいう。但し、ＤＶＤ＿Ｖｉｄｅｏ規格／ＡＶＣＨＤ規格で成立する条件であり、ＤＶＤ＿ＶＲ規格ではファイナライズ後も追記可能である為、本条件には適用されない。また、追記不能とは、コンテンツが存在し、プロテクトがかかっているもの、ファイナライズが完了しているものを示す。
【００３８】
図７は、図５の記録状態において、ＤＶＤカムコーダＡが受信状態、ＤＶＤカムコーダＢが送信状態になるまでの工程を示すフローチャートである。
【００３９】
まず、ＵＳＢ接続された場合、通信Ｉ．Ｆ１１２及び接続制御手段１１１により、接続機器間のネゴシエーションが開始され、接続を確立させる処理が行われる（ステップＳ７０１）。
【００４０】
接続が確立された後、記録状態検出手段１０８が起動し、互いの機器に装着されたＤｉｓｃの記録状態が検出される。図５に示される、装着Ｄｉｓｃの場合、ＤＶＤカムコーダＡでは、"追記可能"の情報が取得され、ＤＶＤカムコーダＢでは"追記不能"が取得される（ステップＳ７０２）。
【００４１】
そして、取得された記録状態情報に応じ、記録状態情報生成手段１０９に追記可能／不能の外部機器への転送情報が生成される（ステップＳ７０３、Ｓ７０４、Ｓ７０５）。
【００４２】
上述した転送情報は、接続制御手段１１１で取得される。そして、通信Ｉ．Ｆ１１２を介し、外部機器（ＤＶＤカムコーダＡにとってはＤＶＤカムコーダＢが外部機器と定義され、ＤＶＤカムコーダＢにとってはＤＶＤカムコーダＡが外部機器と定義される）に送信される（ステップＳ７０６、Ｓ７０７）。
【００４３】
このように転送された記録状態情報は、互いの機器で通信Ｉ．Ｆ１１２、接続制御手段１１１を介し、記録状態情報取得手段１１０で取得される（ステップＳ７０８）。
【００４４】
そして各ＤＶＤカムコーダは、外部機器より取得した、記録状態情報及び、自機種で生成された、記録状態情報を画像／管理情報送受信選択手段１１３で比較する（ステップＳ７０９〜Ｓ７１３）。そして、結果に応じ、画像／管理情報送受信切換え手段１１４を送信状態及び受信状態に切換え、画像／管理情報を受信できる状態、または、送信できる状態に遷移させる。
【００４５】
なお、送信／受信の状態を決定できなかった場合、表示手段１１８に、図４のようなエラー警告を出すような処理も本フローチャートに記載する。まずステップＳ７０９では、送信した記録状態情報が“追記不能”、かつ、外部機器から取得した受信記録状態情報に“追記可能”の場合、画像／管理情報送受信切換え手段１１４を“送信”に切換える。なお接続された外部機器では、後述するステップＳ７１１に該当する為、外部機器は“受信”の状態に切り替わる。ステップＳ７０９で条件が成り立たない場合ステップＳ７１１のステップに遷移し、送信した記録状態情報が“追記可能”の状態、かつ、外部機器から取得した受信記録状態情報が“追記不能”の場合、画像／管理情報送受信切換え手段１１４を“受信”に切換える。なお接続された外部機器では、後述するステップＳ７１１に該当する為、外部機器は“送信”の状態に切り替わる。最後にステップＳ７０９、Ｓ７１１のいずれにも該当しない場合、送信／受信を決定することができないと判断する。そして、画像／管理情報送受信切換え手段１１４を動作させず、表示手段１１８を用いて、図４のような警告表示を出力させるステップに遷移する（ステップＳ７１３）。
【００４６】
以上、本実施の形態によれば、以下のような問題を解消できる。即ち、カムコーダ同士を接続し、画像ファイルの送受信を行うことで、任意の画像を複製しＤｉｓｃを作成等する場合、機器間の接続が確立した状態から、どの機器から画像を送信し、どの機器で受信するのか等の送受信設定をユーザーが手動で行う必要があった。このような煩わしい処理を要求する問題に対し、本実施の形態では、ハードディスク等の記憶媒体を装備したカムコーダにおいて、該機器同士を接続し、撮影した画像ファイルを送信及び受信する場合、接続機器間の記憶媒体の記録状態を互いに通知しあう。そして、該記録状態情報を基に、接続機器間の送信／受信を自動で設定することで、上述した問題を回避することが可能となる。
【００４７】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００４８】
この場合、記憶媒体から読み出されたプログラムコード自体が上述した実施形態の機能を実現することになり、プログラムコード自体及びそのプログラムコードを記憶した記憶媒体は本発明を構成することになる。
【００４９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５０】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００５１】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００５２】
【図１】本発明の実施の形態に係るＤＶＤカムコーダの構成を示す図である。
【図２】本発明の第１の実施の形態に係るＤＶＤカムコーダの接続及び記録状態を表す図である。
【図３】本発明の第１の実施の形態に係るＤＶＤカムコーダの動作を説明するフローチャートである。
【図４】本発明の第１の実施の形態に係るＤＶＤカムコーダにおいて表示する警告表示例を示す図である。
【図５】本発明の第２の実施の形態に係るＤＶＤカムコーダの接続及び記録状態を表す図である。
【図６】本発明の第２の実施の形態に係るＤＶＤカムコーダにおける通信可能及び通信不能を説明するための図である。
【図７】本発明の第２の実施の形態に係るＤＶＤカムコーダの動作を説明するフローチャートである。
【符号の説明】
【００５３】
１０１  撮像手段
１０２  画像生成手段
１０３  管理情報生成手段
１０４  画像／管理情報保存手段
１０５  画像／管理情報保存領域
１０６  画像／管理情報記録再生手段
１０７  記憶媒体
１０８  記録状態検出手段
１０９  記録状態情報生成手段
１１０  記録状態情報取得手段
１１１  接続制御手段
１１２  通信インタフェース（通信Ｉ．Ｆ）
１１３  画像／管理情報送信受信選択手段
１１４  画像／管理情報送受信切換え手段
１１５  ＲＡＭ
１１６  ＲＯＭ
１１７  ＣＰＵ
１１８  表示手段
【図１】
0004958811.tif 000002
【図２】
0004958811.tif 000003
【図３】
0004958811.tif 000004
【図４】
0004958811.tif 000005
【図５】
0004958811.tif 000006
【図６】
0004958811.tif 000007
【図７】
0004958811.tif 000008